(57)【特許請求の範囲】
【請求項１】
載置面に対向する第１保持面が形成される第１保持部材と、
前記載置面に対向する第２保持面が形成される第２保持部材と、
前記第１保持部材と前記第２保持部材との手前側に配置される案内部材と、
前記載置面に対向するように配置され、前記載置面に載置される媒体を撮像する撮像部とを備え、
前記案内部材は、前記第１保持面と前記第２保持面とに繋がる案内面が形成され、前記載置面から前記案内面のうちの第１部分までの距離が、前記載置面から前記案内面のうちの前記第１部分より前記手前側に配置される第２部分までの距離より小さくなるように、配置され、
前記案内部材は、
前記案内面のうちの前記第１保持面に繋がる第１案内面部分と、前記案内面のうちの前記第２保持面に繋がる第２案内面部分との間に開口が形成され、
前記第１保持部材と前記第２保持部材との間に形成される間隙の幅より前記開口の幅が小さくなるように、形成される
画像読取装置。
【請求項２】
載置面に対向する第１保持面が形成される第１保持部材と、
前記載置面に対向する第２保持面が形成される第２保持部材と、
前記第１保持部材と前記第２保持部材との手前側に配置される案内部材と、
前記載置面に対向するように配置され、前記載置面に載置される媒体を撮像する撮像部とを備え、
前記案内部材は、前記第１保持面と前記第２保持面とに繋がる案内面が形成され、前記載置面から前記案内面のうちの第１部分までの距離が、前記載置面から前記案内面のうちの前記第１部分より前記手前側に配置される第２部分までの距離より小さくなるように、配置され、
前記案内部材は、前記載置面と前記案内部材との間に形成される空間が拡大したり縮小したりするように、移動可能であり、
さらに、
前記案内部材を所定位置に移動させる付勢部
を備える画像読取装置。
【請求項３】
載置面に対向する第１保持面が形成される第１保持部材と、
前記載置面に対向する第２保持面が形成される第２保持部材と、
前記第１保持部材と前記第２保持部材との手前側に配置される案内部材と、
前記載置面に対向するように配置され、前記載置面に載置される媒体を撮像する撮像部と、
前記載置面が形成される底部材とを備え、
前記案内部材は、前記第１保持面と前記第２保持面とに繋がる案内面が形成され、前記載置面から前記案内面のうちの第１部分までの距離が、前記載置面から前記案内面のうちの前記第１部分より前記手前側に配置される第２部分までの距離より小さくなるように、配置され、
前記底部材は、前記載置面のうちの前記第１保持面に対向する部分と前記載置面のうちの前記第２保持面に対向する部分との間に、前記媒体より小さい他の媒体が入る窪みが形成される
画像読取装置。
【請求項４】
前記底部材は、
前記他の媒体の前記手前側の反対の奥側の端面のうちの前記第１保持部材に近い側の端に対向する第１突き当て面と、
前記端面のうちの前記第２保持部材に近い側の端に対向する第２突き当て面と、
前記第１突き当て面と前記第２突き当て面との間に配置される切欠きとが形成される
請求項３に記載の画像読取装置。
【請求項５】
前記案内部材は、前記載置面に向かって凸である曲面に前記案内面が沿うように形成される
請求項１から請求項４のいずれか一項に記載の画像読取装置。
【請求項６】
前記媒体のうちの前記手前側の反対の奥側の端面に対向する突き当て面が形成される突き当て部材をさらに備え、
前記突き当て面は、前記載置面から前記突き当て面のうちの奥側突き当て面部分までの距離が、前記載置面から前記突き当て面のうちの前記奥側突き当て面部分より前記手前側に配置される手前側突き当て面部分までの距離より小さくなるように、形成される
請求項１から請求項５のいずれか一項に記載の画像読取装置。
【請求項７】
前記載置面が形成される底部材と、
タグから情報を読み取るリーダとをさらに備え、
前記リーダは、前記底部材の内部に配置される
請求項１から請求項６のいずれか一項に記載の画像読取装置。
【発明の詳細な説明】
【技術分野】
【０００１】
本開示の技術は、画像読取装置に関する。
【背景技術】
【０００２】
ホテルや小売店で、海外からの渡航者に対して、パスポートの読み取りが広く行われている。パスポートに例示される冊子を適切に読み取る画像読取装置が知られている（特許文献１、２参照）。
【先行技術文献】
【特許文献】
【０００３】
【特許文献１】特開２００９−１４７８４２号公報
【特許文献２】特開２０１７−９２９２８号公報
【発明の概要】
【発明が解決しようとする課題】
【０００４】
しかしながら、このような画像読取装置は、冊子のうちの撮像されるページを所定の位置に配置したり、その撮像されるページを平坦に矯正したりする動作に手間がかかるという問題がある。【０００５】
開示の技術は、かかる点に鑑みてなされたものであって、媒体を所定の位置に配置するユーザの動作を容易にする画像読取装置を提供することを目的とする。
【課題を解決するための手段】
【０００６】
本開示の一態様による画像読取装置は、載置面に対向する第１保持面が形成される第１保持部材と、載置面に対向する第２保持面が形成される第２保持部材と、第１保持部材と第２保持部材との手前側に配置される案内部材と、載置面に対向するように配置され、載置面に載置される媒体を撮像する撮像部とを備えている。案内部材は、第１保持面と第２保持面とに繋がる案内面が形成され、載置面から案内面のうちの第１部分までの距離が、載置面から案内面のうちの第１部分より手前側に配置される第２部分までの距離より小さくなるように、配置されている。案内部材は、案内面のうちの第１保持面に繋がる第１案内面部分と、案内面のうちの第２保持面に繋がる第２案内面部分との間に開口が形成され、第１保持部材と第２保持部材との間に形成される間隙の幅より開口の幅が小さくなるように、形成されている。
【発明の効果】
【０００７】
開示の画像読取装置は、媒体を所定の位置に配置するユーザの動作を容易にすることができる。
【図面の簡単な説明】
【０００８】
【図１】図１は、実施例１の画像読取装置を示す斜視図である。
【図２】図２は、実施例１の画像読取装置を示す正面図である。
【図３】図３は、実施例１の画像読取装置を示す断面図である。
【図４】図４は、実施例１の画像読取装置の底部材を示す斜視図である。
【図５】図５は、実施例１の画像読取装置の右側カード突き当て面を示す斜視図である。
【図６】図６は、実施例１の画像読取装置を示すブロック図である。
【図７】図７は、実施例１の画像読取装置の手前側開口に冊子が挿入される様子を示す斜視図である。
【図８】図８は、実施例１の画像読取装置の手前側開口に冊子が斜めに挿入される様子を示す斜視図である。
【図９】図９は、実施例１の画像読取装置の冊子突き当て面に冊子の冊子奥側端が突き当たった状態を示す断面図である。
【図１０】図１０は、実施例１の画像読取装置の所定の位置に冊子が配置された状態を示す斜視図である。
【図１１】図１１は、実施例１の画像読取装置の窪みの内部にカードが配置された状態を示す斜視図である。
【図１２】図１２は、実施例１の画像読取装置の窪みの内部にカードが配置された状態を示す他の斜視図である。
【図１３】図１３は、実施例１の画像読取装置の所定の位置にカードが配置された状態を示す拡大斜視図である。
【図１４】図１４は、実施例２の画像読取装置の底部材を示す斜視図である。
【図１５】図１５は、実施例３の画像読取装置を示す正面図である。
【図１６】図１６は、実施例４の画像読取装置を示す断面図である。
【図１７】図１７は、実施例５の画像読取装置を示す斜視図である。
【図１８】図１８は、実施例５の画像読取装置に冊子が所定の位置に配置された状態を示す斜視図である。
【図１９】図１９は、実施例５の画像読取装置にカードが所定の位置に配置された状態を示す斜視図である。
【発明を実施するための形態】
【０００９】
以下に、本願が開示する実施形態にかかる画像読取装置について、図面を参照して説明される。なお、以下の記載により本開示の技術が限定されるものではない。また、以下の記載においては、同一の構成要素に同一の符号を付与し、重複する説明を省略する。
【実施例１】
【００１０】
図１は、実施例１の画像読取装置１を示す斜視図である。画像読取装置１は、底部材２と筐体３と案内部材４とを備えている。底部材２は、概ね板状に形成され、画像読取装置１が設置される設置面に載置される。筐体３は、光が透過しにくい材料から形成され、箱状に形成されている。筐体３は、左側側壁５と右側側壁６とを備えている。左側側壁５は、概ね板状に形成され、筐体３のうちの左右方向に対して左側の外殻を形成している。右側側壁６は、概ね板状に形成されている。右側側壁６は、左側側壁５に沿う平面に平行である他の平面に沿うように、配置され、筐体３のうちの左右方向に対して右側の外殻を形成している。筐体３は、下側開口７と手前側開口８とが形成されている。下側開口７は、左側側壁５と右側側壁６との間に形成され、筐体３のうちの上下方向に対して下側の領域に形成されている。手前側開口８は、左側側壁５と右側側壁６との間に形成され、筐体３のうちの媒体挿入方向に対して手前側の領域に形成されている。筐体３は、下側開口７が底部材２のうちの媒体挿入方向に対して奥側の一部に塞がれるように、底部材２のうちの上下方向に対して上側に配置され、底部材２に固定されている。【００１１】
案内部材４は、概ね平坦な板状に形成され、案内面１１と開口１２とが形成されている。案内部材４は、案内面１１が手前側開口８を介して露出するように、筐体３の内部に配置されている。案内部材４は、筐体３に固定されている。開口１２は、底部材２のうちの筐体３に覆われている部分の一部が手前側開口８から見えるように、その一部を露出している。【００１２】
図２は、実施例１の画像読取装置１を示す正面図である。画像読取装置１は、左側保持部材１４と右側保持部材１５とをさらに備えている。左側保持部材１４は、帯状に形成され、左側保持面１６が形成されている。左側保持部材１４は、底部材２に沿う平面に平行である平面に沿うように、かつ、左側保持面１６が底部材２に対向するように、筐体３の内部のうちの左側の領域に配置されている。左側保持部材１４は、筐体３の左側側壁５に固定されている。右側保持部材１５は、左側保持部材１４と同様に、帯状に形成され、右側保持面１７が形成されている。右側保持部材１５は、左側保持部材１４に沿う平面に沿うように、かつ、右側保持面１７が底部材２に対向するように、筐体３の内部のうちの右側の領域に配置されている。右側保持部材１５は、筐体３の右側側壁６に固定されている。【００１３】
左側保持部材１４と右側保持部材１５とは、左側保持部材１４と右側保持部材１５との間に形成される間隙の幅が所定の長さより短くなるように、配置されている。所定の長さとしては、パスポートの幅が例示され、１２５ｍｍが例示される。案内面１１は、左側保持面１６に繋がる案内面左側部分１８と、右側保持面１７に繋がる案内面右側部分１９とを含んでいる。開口１２は、案内面左側部分１８と案内面右側部分１９との間に形成され、縁が円弧に沿うように形成されている。案内部材４は、さらに、開口１２の差渡しの幅がその所定の長さより短くなるように形成されている。【００１４】
図３は、実施例１の画像読取装置１を示す断面図である。案内部材４は、左側保持部材１４と右側保持部材１５との手前側に配置されている。案内部材４は、底部材２から案内面１１のうちの任意の第１部分までの距離が、底部材２から案内面１１のうちの第１部分より手前側に配置される第２部分までの距離より小さくなるように、配置されている。たとえば、案内部材４は、底部材２から案内面１１のうちの奥側の端までの最短距離が、底部材２から案内面１１のうちの手前側の端までの最短距離より小さくなるように、配置されている。すなわち、案内部材４は、案内面１１が斜め下側を向くように配置され、案内面１１と底部材２とに挟まれた空間が奥側に向かって先細になるように、配置されている。案内部材４は、さらに、案内面１１の案内面左側部分１８が左側保持面１６に繋がるように、案内部材４のうちの案内面左側部分１８が形成される部分の奥側の端が左側保持面１６の手前側の端に接合されている。案内部材４は、同様に、案内面１１の案内面右側部分１９が右側保持面１７に繋がるように、案内部材４のうちの案内面右側部分１９が形成される部分の奥側の端が右側保持面１７の手前側の端に接合されている。【００１５】
画像読取装置１は、冊子突き当て部材２７をさらに備えている。冊子突き当て部材２７は、棒状に形成され、冊子突き当て面２８が形成されている。冊子突き当て面２８は、概ね平坦に形成されている。冊子突き当て部材２７は、左側側壁５または右側側壁６に沿う平面に垂直である直線に沿うように、筐体３の内部のうちの左側保持部材１４と右側保持部材１５とより奥側の領域に配置され、筐体３に固定されている。冊子突き当て部材２７は、さらに、冊子突き当て面２８が概ね手前側を向くように、かつ、冊子突き当て面２８が斜め下側を向くように、配置されている。詳細には、底部材２から冊子突き当て面２８のうちの任意の奥側突き当て面部分までの距離が、底部材２から冊子突き当て面２８のうちの奥側突き当て面部分より手前側に配置される手前側突き当て面部分までの距離より小さくなるように、形成されている。たとえば、冊子突き当て面２８は、底部材２から冊子突き当て面２８のうちの奥側の端までの距離が、底部材２から冊子突き当て面２８のうちの手前側の端までの距離より小さくなるように、形成されている。すなわち、冊子突き当て部材２７は、冊子突き当て面２８のうちの上側の端が冊子突き当て面２８のうちの下側の端より手前側に配置されるように、冊子突き当て面２８と底部材２とに挟まれた空間が奥側に向かって先細になるように、配置されている。【００１６】
画像読取装置１は、撮像部２１をさらに備えている。撮像部２１は、底部材２のうちの筐体３に覆われている部分に対向するように、筐体３の内部のうちの上側の領域に配置され、筐体３に固定されている。撮像部２１は、カメラ２２と第１ミラー２３と第２ミラー２４とを備えている。第１ミラー２３は、概ね平坦である板状に形成され、第１鏡面２５が形成されている。第１ミラー２３は、第２ミラー２４から第１鏡面２５に入射した光がカメラ２２に向かって反射するように、配置されている。第２ミラー２４は、概ね平坦である板状に形成され、第２鏡面２６が形成されている。第２ミラー２４は、底部材２のうちの筐体３に覆われている部分から第２鏡面２６に入射した光が第１ミラー２３に向かって反射するように、配置されている。カメラ２２は、第２鏡面２６に向くように配置され、第１ミラー２３と第２ミラー２４とを反射した光を用いて、底部材２の上側に配置される媒体の画像を撮像する。【００１７】
このとき、案内部材４と左側保持部材１４と右側保持部材１５と冊子突き当て部材２７とは、底部材２の上側に配置される媒体のうちの所定の部分の画像がカメラ２２に撮像されるように、すなわち、その所定の部分を覆わないように、形成されている。たとえば、開口１２は、その媒体のうちの所定の部位の画像がカメラ２２に撮像されるように、すなわち、媒体の所定の部位を案内部材４が覆わないように、形成されている。撮像部２１は、第１ミラー２３と第２ミラー２４とが設けられることにより、カメラ２２と底部材２との間の距離を短くすることができ、画像読取装置１は、コンパクトに形成されることができる。筐体３は、さらに、手前側開口８から内部に入射して媒体を全反射した光がカメラ２２に入射されないように形成されている。画像読取装置１は、筐体３がこのように形成されていることにより、カメラ２２により撮像された画像に筐体３の外部の光の写り込みによる輝点が写ることを防止することができる。【００１８】
図４は、実施例１の画像読取装置１の底部材２を示す斜視図である。底部材２は、冊子載置面３１と窪み３２とが形成されている。冊子載置面３１は、底部材２のうちの筐体３が配置される側に形成され、底部材２に沿う平面に平行である他の平面に沿うように形成されている。冊子載置面３１は、冊子載置面左側部分４１と冊子載置面右側部分４２と冊子載置面奥側部分４３とを含んでいる。冊子載置面左側部分４１は、冊子載置面３１の左側の領域を形成し、左側保持部材１４の左側保持面１６に対向している。冊子載置面右側部分４２は、冊子載置面３１の右側の領域を形成し、右側保持部材１５の右側保持面１７に対向している。冊子載置面奥側部分４３は、冊子載置面３１の奥側の領域を形成している。【００１９】
窪み３２は、底部材２のうちの冊子載置面３１が形成される側の概ね中央に形成され、冊子載置面左側部分４１と冊子載置面右側部分４２との間に形成されている。窪み３２は、概ね台形に形成され、カード載置面３３と左側カード案内面３４と右側カード案内面３５と左側カード突き当て面３６と右側カード突き当て面３７とが形成されている。カード載置面３３は、窪み３２の底を形成し、冊子載置面３１に沿う平面に平行である他の平面に沿うように、概ね平坦に形成されている。左側カード案内面３４は、カード載置面３３と冊子載置面左側部分４１との間に形成され、カード載置面３３に沿う平面に垂直である他の平面に沿うように形成されている。右側カード案内面３５は、カード載置面３３と冊子載置面右側部分４２との間に形成され、カード載置面３３に沿う平面に垂直である他の平面に沿うように形成されている。【００２０】
窪み３２は、さらに、左側カード案内面３４の奥側の端と右側カード案内面３５の奥側の端との間の距離ｄ１が所定の長さに等しくなるように、形成されている。所定の長さとしては、カード類の幅が例示され、８６．５ｍｍが例示される。窪み３２は、さらに、左側カード案内面３４の手前側の端と右側カード案内面３５の手前側の端との間の距離ｄ２が距離ｄ１より大きくなるように形成され、たとえば、距離ｄ２が１０５ｍｍに等しくなるように形成されている。【００２１】
左側カード突き当て面３６は、カード載置面３３の奥側の端のうちの左側に形成され、左側カード突き当て面３６に沿う平面が、冊子突き当て部材２７が沿う直線に平行であり、かつ、カード載置面３３に沿う平面に垂直であるように、形成されている。左側カード突き当て面３６は、カード載置面３３の奥側の端に繋がり、左側カード案内面３４の奥側の端に繋がっている。右側カード突き当て面３７は、カード載置面３３の奥側の端のうちの右側に形成され、左側カード突き当て面３６に沿う平面に沿うように形成されている。右側カード突き当て面３７は、カード載置面３３の奥側の端に繋がり、右側カード案内面３５の奥側の端に繋がっている。【００２２】
底部材２は、切欠き３８と冊子奥側端案内面３９とがさらに形成されている。切欠き３８は、左側カード突き当て面３６と右側カード突き当て面３７との間に形成されている。冊子奥側端案内面３９は、概ね平坦に形成され、カード載置面３３の奥側の端のうちの左側カード突き当て面３６と右側カード突き当て面３７との間に繋がり、冊子載置面３１のうちの冊子載置面奥側部分４３に繋がっている。【００２３】
図５は、実施例１の画像読取装置１の右側カード突き当て面３７を示す斜視図である。右側カード突き当て面３７は、概ね三角形に形成され、一辺がカード載置面３３に繋がり、他の一辺が右側カード案内面３５に繋がっている。右側カード突き当て面３７のうちのカード載置面３３と右側カード案内面３５とに繋がっていないさらに他の一辺は、右側カード案内面３５から遠ざかるにつれ、冊子載置面３１に沿う平面から遠ざかるように、斜めに形成されている。【００２４】
図６は、実施例１の画像読取装置１を示すブロック図である。画像読取装置１は、光源５１とリーダ５２と制御装置５３とをさらに備えている。光源５１は、筐体３の内部に配置されている。光源５１は、例えばＬＥＤ（Ｌｉｇｈｔ  Ｅｍｉｔｔｉｎｇ  Ｄｉｏｄｅ）であり、制御装置５３に制御されることにより、底部材２に載置される媒体を照明する。リーダ５２は、底部材２の内部に埋め込まれている。リーダ５２は、制御装置５３に制御されることにより、リーダ５２の近傍に配置されるタグからＲＦＩＤ（Ｒａｄｉｏ  Ｆｒｅｑｕｅｎｃｙ  ＩＤｅｎｔｉｆｉｅｒ）を介して情報を読み取る。すなわち、リーダ５２は、質問電波を発信し、その質問電波から生成される電力を用いてタグから発信される応答電波を受信することにより、タグに記録されている情報を読み取る。【００２５】
制御装置５３は、コンピュータであり、ＣＰＵ５４（Ｃｅｎｔｒａｌ  Ｐｒｏｃｅｓｓｉｎｇ  Ｕｎｉｔ）と記憶装置５５と入出力装置５６と通信インターフェイス５７とメディアインターフェイス５８とを備えている。ＣＰＵ５４は、制御装置５３にインストールされるコンピュータプログラムを実行することにより、情報処理し、記憶装置５５と入出力装置５６とカメラ２２とを制御する。記憶装置５５としては、ＲＡＭ・ＲＯＭ等のメモリ、ハードディスクのような固定ディスク装置、ＳＳＤ（Ｓｏｌｉｄ  Ｓｔａｔｅ  Ｄｒｉｖｅ）が例示される。記憶装置５５は、制御装置５３にインストールされるコンピュータプログラムを記録し、ＣＰＵ５４により利用される情報を記録する。入出力装置５６は、ユーザに操作されることにより生成される情報をＣＰＵ５４に出力し、ＣＰＵ５４により生成された情報をユーザに認識されることができるように出力する。【００２６】
通信インターフェイス５７は、ＣＰＵ５４に制御されることにより、通信回線を介して接続される他のコンピュータから情報を制御装置５３にダウンロードしたり、制御装置５３から他のコンピュータに情報を送信したりする。メディアインターフェイス５８は、一時的でない有形の記録媒体５９が装填可能に形成されている。記録媒体５９としては、半導体メモリ、磁気ディスク、光磁気ディスク、光ディスクが例示される。メディアインターフェイス５８は、記録媒体５９が装填されているときに、ＣＰＵ５４に制御されることにより、記録媒体５９から情報を読み取ったり、記録媒体５９に情報を記録したりする。なお、制御装置５３にインストールされるコンピュータプログラムは、通信インターフェイス５７を介して他のコンピュータからダウンロードされたものでもよく、メディアインターフェイス５８を介して記録媒体５９から読み取られたものでもよい。【００２７】
［画像読取装置１の動作］
ユーザは、冊子６１のうちのあるページ６２の画像を読み取りたいときに、図７に示されているように、ページ６２が上側を向くように冊子６１を開き、ページ６２の側の冊子奥側端６３を奥側に向けて、手前側開口８から冊子６１を筐体３の内部に挿入する。図７は、実施例１の画像読取装置１の手前側開口８に冊子６１が挿入される様子を示す斜視図である。冊子６１としては、パスポートが例示される。冊子６１の左側の端は、冊子６１が奥側に挿入されたときに、左側側壁５に沿い、底部材２と左側保持部材１４との間に挿入される。冊子６１の右側の端は、冊子６１が奥側に挿入されたときに、右側側壁６に沿い、底部材２と右側保持部材１５との間に挿入される。【００２８】
図８は、実施例１の画像読取装置１の手前側開口８に冊子６１が斜めに挿入される様子を示す斜視図である。冊子６１は、冊子６１が手前側開口８から斜めに挿入された場合でも、左側の端との右側の端とが左側側壁５と右側側壁６とにそれぞれ案内されることにより、左側の端との右側の端とが左側側壁５と右側側壁６とにそれぞれ沿うように配置されることができる。冊子６１の右側の端は、冊子６１が底部材２から離れた状態で手前側開口８から挿入された場合でも、案内部材４の案内面１１に案内されることにより、底部材２と右側保持部材１５との間に挿入されることができる。冊子６１の左側の端は、冊子６１が底部材２から離れた状態で手前側開口８から挿入された場合でも、案内部材４の案内面１１に案内されることにより、底部材２と左側保持部材１４との間に挿入されることができる。【００２９】
ユーザは、冊子６１の左側の端が底部材２と左側保持部材１４との間に挿入され、右側の端が底部材２と右側保持部材１５との間に挿入された後に、冊子６１をさらに奥側に挿入する。このとき、ユーザは、案内部材４に開口１２が形成されていることにより、冊子６１の上側の面を手で押さえながら冊子６１をさらに奥側に挿入した場合でも、その手が案内部材４に干渉することなく、冊子６１を奥側に容易に挿入することができる。冊子６１の冊子奥側端６３は、冊子６１が奥側にさらに挿入されることにより、図９に示されているように、冊子突き当て部材２７の冊子突き当て面２８に突き当たる。図９は、実施例１の画像読取装置１の冊子突き当て面２８に冊子６１の冊子奥側端６３が突き当たった状態を示す断面図である。このとき、冊子奥側端６３は、底部材２に切欠き３８と冊子奥側端案内面３９とが形成されていることにより、冊子奥側端６３の中央が窪み３２に入った場合でも、左側カード突き当て面３６と右側カード突き当て面３７とに突き当たりにくい。このため、冊子６１は、冊子突き当て部材２７に突き当たるまでスムーズに奥側に挿入されることができる。【００３０】
冊子奥側端６３は、冊子突き当て面２８に突き当たることにより、冊子突き当て面２８に案内され、冊子載置面３１の冊子載置面奥側部分４３に沿うように、冊子載置面奥側部分４３に押し付けられる。このため、冊子６１は、冊子奥側端６３が上に凸に屈曲する屈曲癖が付いている場合でも、冊子６１の冊子奥側端６３が冊子載置面３１の冊子載置面奥側部分４３から離れる浮き上がりが防止される。冊子６１のページ６２は、冊子奥側端６３が冊子突き当て部材２７の冊子突き当て面２８に突き当たることにより、図１０に示されているように、画像読取装置１の所定の位置に配置される。図１０は、実施例１の画像読取装置１の所定の位置に冊子６１が配置された状態を示す斜視図である。【００３１】
ユーザは、冊子６１のページ６２が所定の位置に配置された後に、ページ６２の画像が読み取られるように、入出力装置５６を操作する。制御装置５３は、入出力装置５６が操作されると、光源５１を制御することにより、ページ６２を照明する。制御装置５３は、ページ６２が照明されているときに、カメラ２２を制御することにより、ページ６２のうちの案内部材４と左側保持部材１４と右側保持部材１５と冊子突き当て部材２７に覆われていない領域の画像を撮像する。制御装置５３は、ページ６２の画像が撮像された後に、光源５１を消灯し、記憶装置５５を制御することにより、カメラ２２により撮像された画像を記憶装置５５に記録する。【００３２】
制御装置５３は、ページ６２の画像が撮像された後に、リーダ５２を制御することにより、冊子６１に設けられるタグに記録されている情報を読み取る。このとき、リーダ５２は、底部材２の内部に配置されていることにより、冊子６１に設けられるタグの近傍に配置されることができ、そのタグから情報を適切に読み取ることができる。制御装置５３は、タグから情報が読み取られた後に、記憶装置５５を制御することにより、リーダ５２により読み取られた情報を記憶装置５５に記録する。制御装置５３は、通信インターフェイス５７を制御することにより、記憶装置５５に記録された画像と情報とを他のコンピュータに送信する。または、制御装置５３は、メディアインターフェイス５８を制御することにより、記憶装置５５に記録された画像と情報とを記録媒体５９に記録する。【００３３】
ユーザは、画像読取装置１を用いてカード６５の画像を読み取りたいときに、図１１に示されているように、カード６５を底部材２の窪み３２の内部に入れ、カード６５をカード載置面３３に載置する。図１１は、実施例１の画像読取装置１の窪み３２の内部にカード６５が配置された状態を示す斜視図である。図１２は、実施例１の画像読取装置１の窪み３２の内部にカード６５が配置された状態を示す他の斜視図である。ユーザは、カード６５がカード載置面３３に載置された後に、カード６５を奥側に移動させる。カード６５は、奥側に移動することにより、図１３に示されているように、カード６５の奥側のカード奥側端６６が左側カード突き当て面３６と右側カード突き当て面３７とに突き当たり、所定の位置に配置される。図１３は、実施例１の画像読取装置１の所定の位置にカード６５が配置された状態を示す拡大斜視図である。【００３４】
ユーザは、カード６５が所定の位置に配置された後に、カード６５の画像が読み取られるように、入出力装置５６を操作する。制御装置５３は、入出力装置５６が操作されると、光源５１を制御することにより、カード６５を照明する。制御装置５３は、カード６５が照明されているときに、カメラ２２を制御することにより、カード６５の画像を撮像する。制御装置５３は、カード６５の画像が撮像された後に、光源５１を消灯し、記憶装置５５を制御することにより、カメラ２２により撮像された画像を記憶装置５５に記録する。制御装置５３は、通信インターフェイス５７を制御することにより、記憶装置５５に記録された画像を他のコンピュータに送信し、または、メディアインターフェイス５８を制御することにより、記憶装置５５に記録された画像を記録媒体５９に記録する。【００３５】
［実施例１の画像読取装置１の効果］
実施例１の画像読取装置１は、左側保持部材１４と右側保持部材１５と案内部材４と撮像部２１とを備えている。左側保持部材１４は、冊子載置面３１に対向する左側保持面１６が形成されている。右側保持部材１５は、冊子載置面３１に対向する右側保持面１７が形成されている。撮像部２１は、冊子載置面３１に対向するように配置され、冊子載置面３１に載置される冊子６１の所定のページ６２の画像を撮像する。案内部材４は、左側保持部材１４と右側保持部材１５との手前側に配置され、左側保持面１６と右側保持面１７とに繋がる案内面１１が形成されている。案内部材４は、冊子載置面３１から案内面１１のうちの奥側の端までの距離が、冊子載置面３１から案内面１１のうちの手前側の端までの距離より小さくなるように、傾斜して配置されている。このような画像読取装置１は、冊子６１のページ６２の両側の縁を左側保持部材１４と右側保持部材１５との下側に適切に挿入する動作を容易にすることができる。【００３６】
また、実施例１の画像読取装置１の案内部材４は、案内面１１のうちの左側保持面１６に繋がる案内面左側部分１８と、案内面１１のうちの右側保持面１７に繋がる案内面右側部分１９との間に開口１２が形成されている。案内部材４は、左側保持部材１４と右側保持部材１５との間に形成される間隙の幅より開口１２の幅が小さくなるように、形成されている。このような画像読取装置１は、ユーザが冊子６１の上側の面を手で押さえながら冊子６１を奥側に挿入する場合でも、その手が案内部材４の開口１２を通ることにより、その手が案内部材４に邪魔されることが防止され、冊子６１の挿入を容易にすることができる。画像読取装置１は、開口１２の幅が冊子６１の幅より小さいことにより、冊子６１が開口１２に入ることが防止され、冊子６１を所定の位置に適切に案内することができる。【００３７】
また、実施例１の画像読取装置１は、冊子６１の奥側の冊子奥側端６３に対向する冊子突き当て面２８が形成される冊子突き当て部材２７をさらに備えている。冊子突き当て面２８は、冊子載置面３１から冊子突き当て面２８のうちの奥側の端までの距離が、冊子載置面３１から冊子突き当て面２８のうちの手前側の端までの距離より小さくなるように、形成されている。このような画像読取装置１は、冊子６１の奥側の冊子奥側端６３が冊子載置面３１から離れる浮き上がりが防止され、冊子６１を適切に配置させることができる。画像読取装置１は、冊子６１が適切に配置されることにより、冊子６１の画像を適切に撮像することができる。【００３８】
また、実施例１の画像読取装置１は、冊子載置面３１が形成される底部材２をさらに備えている。底部材２は、冊子載置面３１のうちの左側保持面１６に対向する冊子載置面左側部分４１と、冊子載置面３１のうちの右側保持面１７に対向する冊子載置面右側部分４２との間に、冊子６１より小さいカード６５が入る窪み３２が形成されている。このような画像読取装置１は、左側保持面１６と右側保持面１７とで両端が保持されないカード６５を所定の位置に保持することができ、カード６５の画像を適切に撮像することができる。【００３９】
また、実施例１の画像読取装置１の底部材２は、左側カード突き当て面３６と右側カード突き当て面３７と切欠き３８とがさらに形成されている。左側カード突き当て面３６は、カード６５の奥側のカード奥側端６６のうちの左側の端に対向する。右側カード突き当て面３７は、カード奥側端６６のうちの右側の端に対向する。切欠き３８は、左側カード突き当て面３６と右側カード突き当て面３７との間に配置されている。このような画像読取装置１は、冊子６１を奥側に挿入するときに冊子６１が左側カード突き当て面３６と右側カード突き当て面３７とに突き当たることが防止され、冊子６１の挿入を容易にすることができる。【００４０】
また、実施例１の画像読取装置１は、冊子載置面３１が形成される底部材２と、タグから情報を読み取るリーダ５２とをさらに備えている。リーダ５２は、底部材２の内部に配置されている。このような画像読取装置１は、リーダ５２を冊子６１の近傍に配置することができ、冊子６１に設けられるタグの情報を適切に読み取ることができる。
【実施例２】
【００４１】
ところで、既述の実施例１の画像読取装置１の底部材２は、切欠き３８と冊子奥側端案内面３９とが形成されているが、切欠き３８と冊子奥側端案内面３９とが省略されてもよい。実施例２の画像読取装置は、図１４に示されているように、既述の実施例１の画像読取装置１の底部材２が他の底部材７１に置換され、他の部分は、既述の実施例１の画像読取装置１と同じである。図１４は、実施例２の画像読取装置の底部材７１を示す斜視図である。底部材７１は、底部材２と同様に、概ね板状に形成され、画像読取装置１が設置される設置面に載置され、冊子載置面７２と窪み７３とが形成されている。冊子載置面７２は、冊子載置面左側部分７４と冊子載置面右側部分７５と冊子載置面奥側部分７６とを含んでいる。冊子載置面左側部分７４は、既述の冊子載置面左側部分４１と同様に、冊子載置面７２の左側の領域を形成し、左側保持部材１４の左側保持面１６に対向している。冊子載置面右側部分７５は、既述の冊子載置面右側部分４２と同様に、冊子載置面７２の右側の領域を形成し、右側保持部材１５の右側保持面１７に対向している。冊子載置面奥側部分７６は、冊子載置面７２の奥側の領域を形成している。【００４２】
窪み７３は、既述の窪み３２と同様に、冊子載置面左側部分７４と冊子載置面右側部分７５との間に形成されている。窪み７３は、カード載置面７７と左側カード案内面７８と右側カード案内面７９とカード突き当て面８０とが形成されている。カード載置面７７は、既述のカード載置面３３と同様に、窪み７３の底を形成し、冊子載置面７２に沿う平面に平行である他の平面に沿うように、概ね平坦に形成されている。左側カード案内面７８は、既述の左側カード案内面３４と同様に、カード載置面７７と冊子載置面左側部分７４との間に形成され、カード載置面７７に沿う平面に垂直である他の平面に沿うように形成されている。右側カード案内面７９は、既述の右側カード案内面３５と同様に、カード載置面７７と冊子載置面右側部分７５との間に形成され、カード載置面７７に沿う平面に垂直である他の平面に沿うように形成されている。【００４３】
カード突き当て面８０は、カード載置面７７と冊子載置面奥側部分７６との間に形成され、カード載置面７７に繋がり、冊子載置面奥側部分７６に繋がっている。カード突き当て面８０は、左側カード案内面７８の奥側の端に繋がり、右側カード案内面７９の奥側の端に繋がっている。カード突き当て面８０は、カード突き当て面８０に沿う平面が、冊子突き当て部材２７が沿う直線に平行であり、かつ、カード載置面７７に沿う平面に垂直であるように、形成されている。【００４４】
実施例２の画像読取装置は、既述の実施例１の画像読取装置１と同様に利用されることができ、冊子６１のページ６２の両側の縁を左側保持部材１４と右側保持部材１５との下側に適切に挿入する動作を容易にすることができる。実施例２の画像読取装置は、冊子６１が挿入されるときに、冊子６１の冊子奥側端６３がカード突き当て面８０に引っ掛かり、冊子６１が所定の位置に適切に配置されないことがある。実施例１の画像読取装置１は、切欠き３８と冊子奥側端案内面３９とが形成されていることにより、冊子奥側端６３がカード突き当て面８０に引っ掛かることが防止され、実施例２の画像読取装置に比較して、冊子６１をより適切に配置させることができる。【００４５】
ところで、既述の実施例１、２の画像読取装置は、底部材２、７１にカード６５が入る窪み３２、７３が形成されているが、窪み３２、７３が省略されてもよい。この場合も、画像読取装置は、冊子６１のページ６２の両側の縁を左側保持部材１４と右側保持部材１５との下側に適切に挿入する動作を容易にすることができる。
【実施例３】
【００４６】
ところで、既述の実施例１の画像読取装置１は、開口１２の縁が円弧に沿うように形成されているが、縁が円弧以外の形状に形成されていてもよい。実施例３の画像読取装置は、図１５に示されているように、既述の実施例１の画像読取装置１の案内部材４が他の案内部材８１に置換され、他の部分は、既述の実施例１の画像読取装置１と同じである。図１５は、実施例３の画像読取装置を示す正面図である。案内部材８１は、概ね平坦な板状に形成され、案内面８２と開口８３とが形成されている。案内部材８１は、案内面８２が手前側開口８を介して露出するように、筐体３の内部に配置されている。案内部材８１は、筐体３に固定されている。案内面８２は、左側保持面１６に繋がる案内面左側部分８４と、右側保持面１７に繋がる案内面右側部分８５とを含んでいる。開口８３は、案内面左側部分８４と案内面右側部分８５との間に形成され、縁が直線に沿うように形成されている。案内部材８１は、さらに、開口８３の差渡しの幅がその所定の長さより短くなるように形成されている。開口８３は、さらに、所定の位置の配置された冊子６１のうちの所定の部位の画像がカメラ２２に撮像されるように、すなわち、冊子６１の所定の部位を案内部材８１が覆わないように、形成されている。【００４７】
実施例３の画像読取装置は、既述の実施例１の画像読取装置１と同様に利用されることができ、冊子６１のページ６２の両側の縁を左側保持部材１４と右側保持部材１５との下側に適切に挿入する動作を容易にすることができる。
【実施例４】
【００４８】
ところで、既述の実施例１の画像読取装置１は、案内部材４の案内面１１と左側保持部材１４の左側保持面１６と右側保持部材１５の右側保持面１７とが平面に沿うように形成されているが、屈曲した曲面に沿うように形成されていてもよい。実施例４の画像読取装置は、図１６に示されているように、既述の実施例１の画像読取装置１の左側保持部材１４が他の左側保持部材９１に置換され、案内部材４が他の案内部材９２に置換されている。図１６は、実施例４の画像読取装置を示す断面図である。【００４９】
案内部材９２は、屈曲した板状に形成され、凸である案内面９４が形成されている。案内部材９２は、案内位置または拡大位置に配置されるように、回転軸９６を中心に回転可能に筐体３に支持されている。案内部材９２は、拡大位置に配置されるときに、手前側開口８と案内部材９２と底部材２とに囲まれる空間が、案内部材９２が案内位置に配置されたときより大きくなるように、配置される。実施例４の画像読取装置は、図示されていないストッパをさらに備えている。ストッパは、案内部材９２が案内位置に配置されるときに、案内部材９２が図１６で時計回りに回転しないように、案内部材９２の回転を制限する。ストッパは、さらに、案内部材９２が拡大位置に配置されるときに、案内部材９２が図１６で反時計回りに回転しないように、案内部材９２の回転を制限する。案内部材９２は、案内位置と異なる位置に配置されるときに、案内位置に向かって図１６で反時計回りに回転するように案内部材９２の重力が加わるように、形成されている。【００５０】
左側保持部材９１は、帯状に形成され、凸である左側保持面９３が形成されている。左側保持部材９１は、左側保持面９３が底部材２に対向するように、筐体３の内部のうちの左側の領域に配置され、筐体３に固定されている。実施例４の画像読取装置は、さらに、既述の実施例１の画像読取装置１の右側保持部材１５が他の右側保持部材に置換されている。右側保持部材は、左側保持部材９１と同様に、凸である右側保持面が形成され、右側保持面が底部材２に対向するように、筐体３の内部のうちの右側の領域に配置され、筐体３に固定されている。【００５１】
実施例４の画像読取装置は、既述の実施例１の画像読取装置１と同様に利用されることができ、冊子６１のページ６２の両側の縁を左側保持部材１４と右側保持部材１５との下側に適切に挿入する動作を容易にすることができる。実施例４の画像読取装置の案内面９４は、下側に向かって凸である曲面に沿っていることにより、既述の実施例１の画像読取装置１の案内面１１に比較して、よりなだらかに左側保持面９３と右側保持面とに繋がることができる。実施例４の画像読取装置の左側保持面９３は、下側に向かって凸である曲面に沿っていることにより、既述の実施例１の画像読取装置１の左側保持面１６に比較して、よりなだらかにと案内面９４に繋がることができる。実施例４の画像読取装置は、案内面９４が左側保持面９３と右側保持面とになだらかに繋がることにより、冊子６１を左側保持面９３と右側保持面との下側にスムーズに案内することができる。【００５２】
ユーザは、冊子６１の上側の面を手で押さえながら冊子６１を奥側に挿入するときに、案内部材９２に干渉することがある。実施例４の画像読取装置は、案内部材９２がユーザの手に干渉するときに、案内部材９２が拡大位置に向かって回転することにより、ユーザの手が配置されることができる範囲を拡大することができ、冊子６１の挿入を容易にすることができる。【００５３】
ところで、実施例４の画像読取装置の左側保持面９３と案内面９４とは、両方が凸である曲面に沿っているが、一方が平坦に形成されてもよい。実施例４の画像読取装置は、一方が平坦に形成された場合でも、両方が平坦であるときに比較して、左側保持面９３と案内面９４とをなだらかに繋げることができる。【００５４】
ところで、実施例４の画像読取装置は、案内部材９２が自重により案内位置に移動するが、案内部材９２が案内位置に移動するように案内位置に力を与える付勢部を備えてもよい。このような付勢部としては、案内部材９２が案内位置に移動するように弾性力を案内部材９２に与える弾性体が例示される。実施例４の画像読取装置は、このような付勢部を備える場合でも、ユーザの手が配置されることができる範囲を拡大することができ、冊子６１の挿入を容易にすることができる。また、案内部材９２は、回転可能に筐体３に支持されているが、回転以外の運動で移動可能に筐体３に支持されてもよい。その運動としては、並進運動が例示される。このような場合でも、実施例４の画像読取装置は、ユーザの手が配置されることができる範囲を拡大することができ、冊子６１の挿入を容易にすることができる。
【実施例５】
【００５５】
ところで、既述の実施例の画像読取装置は、底部材２、７１を備えているが、底部材２、７１を省略してもよい。実施例５の画像読取装置は、図１７に示されているように、既述の実施例１の画像読取装置１から底部材２が省略されている。図１７は、実施例５の画像読取装置を示す斜視図である。このとき、左側保持部材１４は、実施例５の画像読取装置が設置される設置面に左側保持面１６が対向するように、配置され、右側保持部材１５は、設置面に右側保持面１７が対向するように、配置される。実施例５の画像読取装置は、底部材２が設けられていないことにより、既述の実施例１の画像読取装置１に比較して、部品点数が少なく、より安価に作製されることができる。【００５６】
ユーザは、実施例５の画像読取装置を用いて冊子６１のページ６２の画像を読み取りたいときに、図１８に示されているように、ページ６２を上側に向け、冊子奥側端６３を奥側に向けて冊子６１を筐体３の内部に挿入する。図１８は、実施例５の画像読取装置に冊子６１が所定の位置に配置された状態を示す斜視図である。冊子６１の左側の端は、冊子６１が奥側に挿入されたときに、左側側壁５に沿い、実施例５の画像読取装置が載置される設置面と左側保持部材１４との間に挟まれて保持される。冊子６１の右側の端は、冊子６１が奥側に挿入されたときに、右側側壁６に沿い、設置面と右側保持部材１５との間に挟まれて保持される。冊子奥側端６３は、冊子突き当て部材２７に突き当たることにより、冊子突き当て面２８に案内され、設置面に押し付けられる。実施例５の画像読取装置は、既述の実施例１の画像読取装置１と同様に、冊子６１を所定の位置に適切に配置することができ、ページ６２の所定の部位の画像を適切に撮像することができる。【００５７】
ユーザは、実施例５の画像読取装置を用いてカード６５の画像を読み取りたいときに、図１９に示されているように、設置面のうちの左側保持部材１４と右側保持部材１５とに対向する部分の間の領域にカード６５を載置する。図１９は、実施例５の画像読取装置にカード６５が所定の位置に配置された状態を示す斜視図である。実施例５の画像読取装置は、設置面にカード６５をこのように載置することにより、既述の実施例１の画像読取装置１と同様に、カード６５の画像を適切に撮像することができる。【００５８】
ところで、既述の実施例の画像読取装置は、冊子突き当て面２８が傾斜しているが、冊子突き当て面２８に沿う平面が、冊子載置面３１に沿う平面に垂直であってもよい。この場合も、画像読取装置は、冊子６１を所定の位置に配置させることができ、ページ６２の画像を適切に撮像することができる。【００５９】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００６０】
１      ：画像読取装置
２      ：底部材
３      ：筐体
４      ：案内部材
１１    ：案内面
１２    ：開口
１４    ：左側保持部材
１５    ：右側保持部材
１６    ：左側保持面
１７    ：右側保持面
１８    ：案内面左側部分
１９    ：案内面右側部分
２１    ：撮像部
２７    ：冊子突き当て部材
２８    ：冊子突き当て面
３２    ：窪み
３６    ：左側カード突き当て面
３７    ：右側カード突き当て面
３８    ：切欠き
５２    ：リーダ
６１    ：冊子
６２    ：ページ
【図１】
0006941236.tif 000002
【図２】
0006941236.tif 000003
【図３】
0006941236.tif 000004
【図４】
0006941236.tif 000005
【図５】
0006941236.tif 000006
【図６】
0006941236.tif 000007
【図７】
0006941236.tif 000008
【図８】
0006941236.tif 000009
【図９】
0006941236.tif 000010
【図１０】
0006941236.tif 000011
【図１１】
0006941236.tif 000012
【図１２】
0006941236.tif 000013
【図１３】
0006941236.tif 000014
【図１４】
0006941236.tif 000015
【図１５】
0006941236.tif 000016
【図１６】
0006941236.tif 000017
【図１７】
0006941236.tif 000018
【図１８】
0006941236.tif 000019
【図１９】
0006941236.tif 000020